(57)【要約】同期信号のための電力制御の方法は、無線デバイスで、Ｄ２Ｄ同期信号の送信のために無線デバイスの電力制御モードを決定するアクセスポイントからの信号を受信することを含む。方法は、無線デバイスによって、電力制御モードに従ってＤ２Ｄ同期信号を送信することを更に含む。電力制御モードは、被制御電力モード又は最大電力モードを含んでよい。
2017539135.tif 000002
【特許請求の範囲】
【請求項１】
同期信号のための電力制御の方法であって、
無線デバイスで、デバイス・ツー・デバイス（Ｄ２Ｄ）同期信号の送信のために前記無線デバイスの電力制御モードを決定するアクセスポイントからの信号を受信し、
前記無線デバイスによって、前記電力制御モードに従ってＤ２Ｄ同期信号を送信する
ことを有し、
前記電力制御モードは、被制御電力モード又は最大電力モードを含む、方法。
【請求項２】
前記受信することは、前記アクセスポイントからダウンリンク制御情報（ＤＣＩ）、サブフレーム５（ＤＣＩ５）を受信することを有し、
当該方法は、前記無線デバイスによって、前記信号に基づき、前記無線デバイスの前記電力制御モードを決定することを更に有する、
請求項１に記載の方法。
【請求項３】
前記決定することは、
スケジューリング・アサインメント（ＳＡ）及びデータが制御された電力により送信されるべきことを前記ＤＣＩ５が示すことに応答して、前記電力制御モードが前記被制御電力モードを有すること決定し、
前記ＳＡ及びデータが最大電力により送信されるべきことを前記ＤＣＩ５が示すことに応答して、前記電力制御モードが前記最大電力モードを有することを決定する
ことを有し、
前記送信することは、
前記電力制御モードが前記被制御電力モードを有することを決定することに応答して、制御された電力により前記Ｄ２Ｄ同期信号を送信し、
前記電力制御モードが前記最大電力モードを有することを決定することに応答して、最大電力により前記Ｄ２Ｄ同期信号を送信する
ことを有する、請求項２に記載の方法。
【請求項４】
前記ＤＣＩ５は、送信電力制御ビットを含み、該送信電力制御ビットは、前記送信電力制御ビットが設定されるときに、前記ＳＡ及びデータが最大電力により送信されるべきことを示し、前記送信電力制御ビットが設定されないときに、前記ＳＡ及びデータが制御された電力により送信されるべきことを示す、
請求項３に記載の方法。
【請求項５】
前記Ｄ２Ｄ同期信号は、前記ＳＡ及びデータが制御された電力により送信されるときに、制御された電力により送信され、
前記Ｄ２Ｄ同期信号は、前記ＳＡ及びデータが最大電力により送信されるときに、最大電力により送信される、
請求項３に記載の方法。
【請求項６】
前記Ｄ２Ｄ同期信号は、プライマリＤ２Ｄ同期シーケンス伝送（ＰＤ２ＤＳＳ）、セカンダリＤ２Ｄ同期シーケンス伝送（ＳＤ２ＤＳＳ）、物理Ｄ２Ｄ同期チャネル（ＰＤ２ＤＳＣＨ）、又はそれらの組み合わせを有する、
請求項１に記載の方法。
【請求項７】
前記受信することは、前記アクセスポイントからラジオ・リソース・コントロール（ＲＲＣ）信号を受信することを有し、
前記ＲＲＣ信号は、前記被制御電力モード又は前記最大電力モードであるとして前記電力制御モードを示す専用のビットを含み、
前記専用のビットは、前記最大電力モードを示す第１の値、又は前記被制御電力モードを示す第２の値を含み、
前記送信することは、
前記専用のビットが前記第１の値を含むことに応答して、最大電力により前記Ｄ２Ｄ同期信号を送信し、
前記専用のビットが前記第２の値を含むことに応答して、制御された電力により前記Ｄ２Ｄ同期信号を送信する
ことを有する、請求項１に記載の方法。
【請求項８】
前記受信することは、前記Ｄ２Ｄ同期信号の前記無線デバイスでの送信電力を制御する前記無線デバイスの（α，Ｐ０）パラメータを設定するのに有効である前記アクセスポイントからの信号を受信することを有し、
前記送信することは、
前記（α，Ｐ０）パラメータが最大電力モードのために設定されることに応答して、最大電力により前記Ｄ２Ｄ同期信号を送信し、
前記（α，Ｐ０）パラメータが被制御電力モードのために設定されることに応答して、制御された電力により前記Ｄ２Ｄ同期信号を送信する
ことを有する、請求項１に記載の方法。
【請求項９】
無線デバイスで、デバイス・ツー・デバイス（Ｄ２Ｄ）同期信号の送信のために前記無線デバイスの電力制御モードを決定するアクセスポイントからの信号を受信し、
前記無線デバイスによって、前記電力制御モードに従ってＤ２Ｄ同期信号を送信し、前記電力制御モードは、被制御電力モード又は最大電力モードを含む
ことを有する動作を実行し又は該動作の実行を制御するようプロセッサデバイスによって実行されるコンピュータ命令を記憶している非一時的なコンピュータ可読媒体。
【請求項１０】
前記受信することは、前記アクセスポイントからダウンリンク制御情報（ＤＣＩ）、サブフレーム５（ＤＣＩ５）を受信することを有し、
前記動作は、前記無線デバイスによって、前記信号に基づき、前記無線デバイスの前記電力制御モードを決定することを更に有する、
請求項９に記載の非一時的なコンピュータ可読媒体。
【請求項１１】
前記決定することは、
スケジューリング・アサインメント（ＳＡ）及びデータが制御された電力により送信されるべきことを前記ＤＣＩ５が示すことに応答して、前記電力制御モードが前記被制御電力モードを有すること決定し、
前記ＳＡ及びデータが最大電力により送信されるべきことを前記ＤＣＩ５が示すことに応答して、前記電力制御モードが前記最大電力モードを有することを決定する
ことを有し、
前記送信することは、
前記電力制御モードが前記被制御電力モードを有することを決定することに応答して、制御された電力により前記Ｄ２Ｄ同期信号を送信し、
前記電力制御モードが前記最大電力モードを有することを決定することに応答して、最大電力により前記Ｄ２Ｄ同期信号を送信する
ことを有する、請求項１０に記載の非一時的なコンピュータ可読媒体。
【請求項１２】
前記ＤＣＩ５は、送信電力制御ビットを含み、該送信電力制御ビットは、前記送信電力制御ビットが設定されるときに、前記ＳＡ及びデータが最大電力により送信されるべきことを示し、前記送信電力制御ビットが設定されないときに、前記ＳＡ及びデータが制御された電力により送信されるべきことを示す、
請求項１１に記載の非一時的なコンピュータ可読媒体。
【請求項１３】
前記Ｄ２Ｄ同期信号は、前記ＳＡ及びデータが制御された電力により送信されるときに、制御された電力により送信され、
前記Ｄ２Ｄ同期信号は、前記ＳＡ及びデータが最大電力により送信されるときに、最大電力により送信される、
請求項１１に記載の非一時的なコンピュータ可読媒体。
【請求項１４】
前記Ｄ２Ｄ同期信号は、プライマリＤ２Ｄ同期シーケンス伝送（ＰＤ２ＤＳＳ）、セカンダリＤ２Ｄ同期シーケンス伝送（ＳＤ２ＤＳＳ）、物理Ｄ２Ｄ同期チャネル（ＰＤ２ＤＳＣＨ）、又はそれらの組み合わせを有する、
請求項９に記載の非一時的なコンピュータ可読媒体。
【請求項１５】
前記受信することは、前記アクセスポイントからラジオ・リソース・コントロール（ＲＲＣ）信号を受信することを有し、
前記ＲＲＣ信号は、前記被制御電力モード又は前記最大電力モードであるとして前記電力制御モードを示す専用のビットを含み、
前記専用のビットは、前記最大電力モードを示す第１の値、又は前記被制御電力モードを示す第２の値を含み、
前記送信することは、
前記専用のビットが前記第１の値を含むことに応答して、最大電力により前記Ｄ２Ｄ同期信号を送信し、
前記専用のビットが前記第２の値を含むことに応答して、制御された電力により前記Ｄ２Ｄ同期信号を送信する
ことを有する、請求項９に記載の非一時的なコンピュータ可読媒体。
【請求項１６】
前記受信することは、前記Ｄ２Ｄ同期信号の前記無線デバイスでの送信電力を制御する前記無線デバイスの（α，Ｐ０）パラメータを設定するのに有効である前記アクセスポイントからの信号を受信することを有し、
前記送信することは、
前記（α，Ｐ０）パラメータが最大電力モードのために設定されることに応答して、最大電力により前記Ｄ２Ｄ同期信号を送信し、
前記（α，Ｐ０）パラメータが被制御電力モードのために設定されることに応答して、制御された電力により前記Ｄ２Ｄ同期信号を送信する
ことを有する、請求項９に記載の非一時的なコンピュータ可読媒体。
【請求項１７】
無線デバイスであって
プロセッサと、
前記プロセッサへ通信上結合される非一時的なコンピュータ可読媒体と
を有し、
前記非一時的なコンピュータ可読媒体は、
デバイス・ツー・デバイス（Ｄ２Ｄ）同期信号の送信のために当該無線デバイスの電力制御モードを決定するアクセスポイントからの信号を受信し、
前記電力制御モードに従ってＤ２Ｄ同期信号を送信し、前記電力制御モードは、被制御電力モード又は最大電力モードを含む
ことを有する動作を実行し又は該動作の実行を制御するよう前記プロセッサによって実行されるコンピュータ命令を記憶している、無線デバイス。
【請求項１８】
前記受信することは、前記アクセスポイントからダウンリンク制御情報（ＤＣＩ）、サブフレーム５（ＤＣＩ５）を受信することを有し、
前記動作は、前記無線デバイスによって、前記信号に基づき、前記無線デバイスの前記電力制御モードを決定することを更に有する、
請求項１７に記載の無線デバイス。
【請求項１９】
前記受信することは、前記アクセスポイントからラジオ・リソース・コントロール（ＲＲＣ）信号を受信することを有し、
前記ＲＲＣ信号は、前記被制御電力モード又は前記最大電力モードであるとして前記電力制御モードを示す専用のビットを含み、
前記専用のビットは、前記最大電力モードを示す第１の値、又は前記被制御電力モードを示す第２の値を含み、
前記送信することは、
前記専用のビットが前記第１の値を含むことに応答して、最大電力により前記Ｄ２Ｄ同期信号を送信し、
前記専用のビットが前記第２の値を含むことに応答して、制御された電力により前記Ｄ２Ｄ同期信号を送信する
ことを有する、請求項１７に記載の無線デバイス。
【請求項２０】
前記受信することは、前記Ｄ２Ｄ同期信号の前記無線デバイスでの送信電力を制御する前記無線デバイスの（α，Ｐ０）パラメータを設定するのに有効である前記アクセスポイントからの信号を受信することを有し、
前記送信することは、
前記（α，Ｐ０）パラメータが最大電力モードのために設定されることに応答して、最大電力により前記Ｄ２Ｄ同期信号を送信し、
前記（α，Ｐ０）パラメータが被制御電力モードのために設定されることに応答して、制御された電力により前記Ｄ２Ｄ同期信号を送信する
ことを有する、請求項１７に記載の無線デバイス。
【発明の詳細な説明】
【技術分野】
【０００１】
本願で説明される実施形態は、Ｄ２Ｄ同期信号のための電力制御モードに関係がある。
【背景技術】
【０００２】
無線通信ネットワークを使用するスマートフォン、タブレット、タブレット・コンピュータ、及び他の電子機器（一般に「無線デバイス」と呼ばれる。）の急増は、遍在的且つ連続的な無線ボイス及びデータアクセスに対する需要の増大を生み出してきた。デバイス・ツー・デバイス（Ｄ２Ｄ；device-to-device）通信は、この需要を満たすのを助けることができる。例えば、Ｄ２Ｄ通信は、無線デバイス間で行われてよく、無線デバイスが互いと情報をやり取りすることを可能にすることができる。このＤ２Ｄ通信は、無線通信リソースの再利用を可能にすることができる。それは、無線ボイス及びデータアクセスに対する需要を満たすのと助けることができる。
【０００３】
本願で請求される対象は、上述されているようなあらゆる欠点を解決する実施形態又は上述されているような環境でのみ動作する実施形態に制限されない。むしろ、この背景は、本願で記載されるいくつかの実施形態が実施され得る技術分野の一例を説明するためにのみ与えられている
【発明の概要】
【０００４】
実施形態の態様に従って、同期信号のための電力制御の方法は、無線デバイスで、Ｄ２Ｄ同期信号の送信のために前記無線デバイスの電力制御モードを決定するアクセスポイントからの信号を受信することを含む。方法は、前記無線デバイスによって、前記電力制御モードに従ってＤ２Ｄ同期信号を送信することを更に含む。前記電力制御モードは、被制御電力モード又は最大電力モードを含んでよい。
【０００５】
実施形態の目的及び利点は、特許請求の範囲で特に示されている要素、特徴、及び組み合わせに少なくともよって、実現及び達成される。
【０００６】
前述の概要及び以下の詳細な説明は、例及び説明であり、請求されている本発明の限定ではないことが理解されるべきである。
【図面の簡単な説明】
【０００７】
例となる実施形態は、添付の図面の使用を通じて、更なる特定及び詳細をもって、記載及び説明される。
【図１】例となる無線通信ネットワークの図である。
【図２】図１のネットワークで実装され得る、例となる無線デバイスの図である。
【図３Ａ】ＮＩＤ１の関数として計算されるＰＡＰＲのグラフ表示である。
【図３Ｂ】計算されたＰＡＰＲの昇順において並べられた図３Ａの計算されたＰＡＰＲのグラフ表示である。
【図４】ロング・ターム・エボリューション−アドバンスド（ＬＴＥ−Ａ）Ｄ２Ｄセカンダリ同期シーケンス設計の例となる方法のフローチャートを表す。
【図５Ａ】Ｄ２Ｄ同期信号の送信電力制御の例となる方法のフローチャートを表す。
【図５Ｂ】Ｄ２Ｄ同期信号の送信電力制御の他の例となる方法のフローチャートを表す。
【図６】本願で記載される少なくとも１つの実施形態に従って全てが配置される、リソース構成及び無線デバイス挙動の例となる方法のフローチャートを表す。
【発明を実施するための形態】
【０００８】
ロング・ターム・エボリューション（ＬＴＥ；Long  Term  Evolution）システム及びロング・ターム・エボリューション−アドバンスド（ＬＴＥ−Ａ；Long  Term  Evolution-Advanced）システムの仕様は、第３世代パートナーシップ・プロジェクト（３ＧＰＰ；3rd  Generation  Partnership  Project）において調査中である。夫々の仕様は、リリース（rel.）としばしば呼ばれる。３ＧＰＰ  ＬＴＥ−Ａ仕様のリリース１２はＤ２Ｄ通信について記述する。Ｄ２Ｄ通信は、ユーザ機器（ＵＥ；User  Equipment）と本願で記載される２つ以上のモバイル端末どうしの直接的なデータ伝送を可能にする。Ｄ２Ｄ通信は規則的なセルラー通信を圧倒し得る。
【０００９】
Ｄ２Ｄ通信を使用することは、ネットワーク容量を増やすことができる。例えば、Ｄ２Ｄ通信は、空間多重化を認めることがより高いスペクトルの利用を可能にするので、空間再利用利得を可能にし得る。Ｄ２Ｄ通信を用いることはまた、直接リンクがセルラーチャネルと比べてより良いチャネル品質を有し得るのでスループットが増大して、リンク利得を可能にし得る。Ｄ２Ｄ通信を使用することは更には、データがセルラーリンク上の２回（すなわち、アップリンク（ＵＬ；uplink）及びダウンリンク（ＤＬ；downlink）セルラー通信を介すること）と比べて直接リンク上で一度で送信される場合にリソース再利用が減少し得るので、ホップ利得を可能にし得る。
【００１０】
Ｄ２Ｄ通信を用いることはまた、デバイス・ユーザ機器（ＤＵＥ；Device  User  Equipment）通信のレイテンシーを最適化し得る。例えば、Ｄ２Ｄ通信は、ｅＮｏｄｅＢ（ｅＮＢ）及び／又はコア・ネットワークを介してデータを中継することを避けることで、ｅＮＢ負荷を最適化し得る。
【００１１】
いくつかの事例において、Ｄ２Ｄ通信は、Ｄ２Ｄリレーを通じてセル・カバレッジを広げることができる。更には、Ｄ２Ｄ通信は、ネットワーク・カバレッジの有無によらず、あるいは、部分的なネットワーク・カバレッジとともに、使用され得る。
【００１２】
スケジューリング・アサインメント（ＳＡ；Scheduling  Assignment）及びデータのようなＤ２Ｄ通信は、制御された電力又は最大電力により送信され得る。以下で更に詳細に記載されるように、Ｄ２Ｄ通信が最大電力により送信されるときにＤ２Ｄ同期シーケンス（Ｄ２ＤＳＳ；D2D  Synchronization  Sequence）及び物理Ｄ２Ｄ同期チャネル（ＰＤ２ＤＳＣＨ；Physical  D2D  Synchronization  Channel）が制御された電力により送信される場合に、問題は起こりうる。例えば、制御された電力により送信されるＤ２ＤＳＳ及びＰＤ２ＤＳＣＨ伝送は、最大電力により送信されるＤ２Ｄ通信よりも少ない送信電力及び少ない送信範囲を有しうる。そのようなものとして、いくつかの受信側無線デバイスは、Ｄ２ＤＳＳ／ＰＤ２ＤＳＣＨから同期を得ることができず、従って、たとえＤ２Ｄ通信が復号されるよう十分な電力を有して受信されるとしても、Ｄ２Ｄ通信を適切に復号することができない可能性がある。
【００１３】
然るに、本願で記載されるいくつかの実施形態は、無線デバイスで、Ｄ２ＤＳＳ及び／又はＰＤ２ＤＳＣＨのようなＤ２Ｄ同期信号の送信のために前記無線デバイスの電力制御モードを決定するアクセスポイントからの信号を受信してよい。アクセスポイントから受信される信号は、ダウンリンク制御情報（ＤＣＩ；Downlink  Control  Information）、サブフレーム５（ＤＣＩ５）、ラジオ・リソース・コントロール（ＲＲＣ；Radio  Resource  Control）信号、又は無線デバイスの（α，Ｐ０）パラメータを設定するのに有効な信号を含んでよい。無線デバイスは、次いで、電力制御モードに従ってＤ２Ｄ同期信号を送信してよい。このとき、電力制御モードは、被制御電力モード又は最大電力モードを含む。いくつかの実施形態において、Ｄ２Ｄ同期信号の送信のための電力制御モードは、Ｄ２Ｄ通信の送信のための電力モードと一致することができる。
【００１４】
本発明の実施形態は、添付の図面を参照して説明される。
【００１５】
図１は、本願で記載される少なくとも１つの実施形態に従って配置される、例となる無線通信ネットワーク１００（以降「ネットワーク１００」）の図である。ネットワーク１００は、無線通信サービスを１つ以上の無線デバイス１０４（以降「無線デバイス１０４」（複数を含む。））へ１つ以上のアクセスポイント（例えば、アクセスポイント１０２）を経由して供給するよう構成されてよい。無線通信サービスは、ボイス・サービス、データ・サービス、メッセージング・サービス、及び／又はそれらのあらゆる適切な組み合わせであってよい。ネットワーク１００は、周波数分割多重アクセス（ＦＤＭＡ；Frequency  Division  Multiple  Access）ネットワーク、直交ＦＤＭＡ（ＯＦＤＭＡ；Orthogonal  FDMA）ネットワーク、符号分割多重アクセス（ＣＤＭＡ；Code  Division  Multiple  Access）ネットワーク、時分割多重アクセス（ＴＤＭＡ；Time  Division  Multiple  Access）ネットワーク、及び／又はあらゆる他の適切な無線通信ネットワークを含んでよい。いくつかの実施形態において、ネットワーク１００は、第３世代（３Ｇ）無線通信ネットワーク及び／又は第４世代（４Ｇ）無線通信ネットワークとして構成されてよい。それら及び他の実施形態において、ネットワーク１００は、ＬＴＥ又はＬＴＥ−Ａ無線通信ネットワークとして構成されてよい。
【００１６】
図１のネットワーク１００において、無線デバイス１０４はＤＵＥを含んでよく、他の近くにある無線デバイス１０４を発見することができる。これは、“Ｄ２Ｄディスカバリ”と本願では呼ばれる。無線デバイス１０４は、ＵＥの位置に基づくサービスのために、及び／又は直接的なＤ２Ｄ通信のために、そのような情報を使用し得る。
【００１７】
Ｄ２Ｄ伝送は、１つの無線デバイス１０４と１つの他の無線デバイス１０４との間で起こり得る。これは、“ユニキャスト”と本願では呼ばれる。代替的に、又はその上、Ｄ２Ｄ伝送は、送信範囲内で１つの無線デバイス１０４と他の全ての無線デバイス１０４のサブセットとの間で起こり得る。これは、“グループ・キャスト”と本願では呼ばれる。代替的に、又はその上、Ｄ２Ｄ伝送は、送信範囲内で１つの無線デバイス１０４と他の全ての無線デバイス１０４との間で起こり得る。これは、“ブロードキャスト”と本願では呼ばれる。
【００１８】
Ｄ２Ｄディスカバリ及びＤ２Ｄ通信は、完全なネットワーク・カバレッジ若しくは部分的なネットワーク・カバレッジにより、又はネットワーク・カバレッジなしで、ネットワーク１００内の無線デバイス１０４どうしの間で起こり得る。完全な又は部分的なネットワーク・カバレッジによれば、Ｄ２Ｄディスカバリ及びＤ２Ｄ通信は、中央集権化された協調、例えば、アクセスポイント１０２による協調を有して起こり得る。
【００１９】
Ｄ２Ｄ通信のための多数の潜在用途が存在する。例えば、Ｄ２Ｄ通信は、緊急時対応のシナリオのような、公衆安全の状況において用いられ得る。そのようなシナリオにおいて、Ｄ２Ｄ通信は、特に、第１応答者が互いから近距離の所にいる場合に、第１応答者（すなわち、特に、第１応答者の無線デバイス１０４）どうしの間の短距離のディスカバリ及び通信のために使用され得る。いくつかの事例において、Ｄ２Ｄ通信は、無線デバイス１０４がウォーキー・トーキー（walkie-talkies）と同様に使用されることを可能にすることができ、及び／又は第１応答者がグループ通話を行うことを可能にすることができる。
【００２０】
更には、Ｄ２Ｄ通信は、人々が自身の無線デバイス１０４を用いて近くにいる関心のある人々を発見し、それらの人々とファイルを共有し、及び／又はそれらの人々と通信することを可能にすることといった、社交上の目的のために使用され得る。
【００２１】
更には、Ｄ２Ｄ通信は、近接性に基づく広告といった、商業上の目的のために使用され得る。
【００２２】
更には、Ｄ２Ｄ通信は、車両間及び／又は車両−縁石間通信のような、輸送目的のために使用され得る。
【００２３】
更には、Ｄ２Ｄ通信は、マシン・ツー・マシン（Ｍ２Ｍ；machine-to-machine）のために、例えば、スマートホームにおいて、例えば、スマートホーム機器どうしのピア・ツー・ピア通信のために、使用され得る。Ｄ２Ｄ通信は、Ｍ２Ｍグループを直接に支援するためにも使用され得る。
【００２４】
米商務省（ＵＳＤＯＣ：U.S.  Department  of  Commerce）によって表されているように、公衆安全共同体からのＤ２Ｄ通信への特別の関心が存在する。典型的な使用に加えて、公衆安全用途は、Ｄ２Ｄブロードキャスト及びＤ２Ｄグループ・キャストを更に必要としうる。Ｄ２Ｄブロードキャストは、送信側（ＴＸ）無線デバイス１０４の送信範囲内にある全ての無線デバイス１０４を対象とし得る。Ｄ２Ｄグループ・キャストは、ＴＸ無線デバイス１０４の送信範囲内にある通信グループの部分である全ての無線デバイス１０４を対象とし得る。
【００２５】
続けて図１を参照して、アクセスポイント１０２は、如何なる適切な無線通信ネットワーク用通信ポイントであってもよく、一例として、基地局、エボルブド・ノードＢ（ｅＮＢ；evolved  node  B）基地局、リモート・ラジオ・ヘッド（ＲＲＨ；remote  radio  head）、又はあらゆる他の適切な通信ポイントを含んでよい。無線デバイス１０４は、無線通信サービスを得るためにネットワーク１００を使用し得る如何なるデバイスも含んでよく、一例として、ＤＵＥ、Ｍ２Ｍデバイス、携帯電話機、スマートフォン、パーソナル・デジタル・アシスタント（ＰＤＡ；personal  digital  assistant）、ラップトップ・コンピュータ、パーソナル・コンピュータ、及びタブレット・コンピュータ、又はあらゆる他の同様のデバイスを含んでよい。
【００２６】
無線デバイス１０４は、Ｄ２Ｄ通信を実施するよう構成されてよい。いくつかの実施形態において、無線デバイス１０４は、アクセスポイント１０２からの支援の有無によらずにＤ２Ｄ通信を実施するよう構成されてよい。アクセスポイント１０２から支援されてＤ２Ｄ通信を実施することは、“ネットワーク内（in-network）”Ｄ２Ｄ通信と本願では呼ばれ得る。アクセスポイント１０２から支援されずにＤ２Ｄ通信を実施することは、“ネットワーク外（out-of-network）”Ｄ２Ｄ通信と本願では呼ばれ得る。いくつかの実施形態において、ネットワーク内Ｄ２Ｄ通信は、無線デバイス１０４がアクセスポイント１０２へ接続されているときに実施され得、ネットワーク外Ｄ２Ｄ通信は、無線デバイス１０４がアクセスポイント１０２へ接続されていないときに実施され得る。例えば、無線デバイス１０４は、無線デバイス１０４がアクセスポイント１０２の通信範囲の外にあるときに、ネットワーク外Ｄ２Ｄ通信を実施してよい。
【００２７】
ネットワーク内又はネットワーク外Ｄ２Ｄ通信を実施するよう、個々の無線デバイス１０４は、その無線デバイス１０４が無線通信することができる他の無線デバイス１０４を発見し得る。例えば、第１の無線デバイス１０４ａは第２の無線デバイス１０４ｂを発見し得る。無線デバイスは、Ｄ２Ｄディスカバリ・メッセージを用いて互いを発見し得る。
【００２８】
図２は、本願で記載される少なくとも１つの実施形態に従って配置される、図１のネットワーク１００において実装され得る、例となる無線デバイス２０２の図である。無線デバイス２０２は、図１の無線デバイス１０４に概して対応し得る。無線デバイス２０２は、アンテナ２１０、トランシーバ２２０、及びハードウェア２３０を含んでよい。ハードウェア２３０は、特定用途向け集積回路（ＡＳＩＣ；application-specific  integrated  circuit）、フィールド・プログラマブル・ゲート・アレイ（ＦＰＧＡ；Field  Programmable  Gate  Array）、又は動作（例えば、図１の無線デバイス１０４によって実施されるように記載された動作）を実施するよう構成されるあらゆる他のデジタル若しくはアナログ回路構成を含んでよい。図２に表されるように、ハードウェア２３０は、プロセッサ２３２、メモリ２３４、及びデータストレージ２３６を含んでよい。それら及び他の実施形態において、プロセッサ２３２、メモリ２３４、及びデータストレージ２３６は、ハードウェア２３０によって実施される動作の一部又は全てを実施するよう構成されてよい。他の実施形態において、ハードウェア２３０は、プロセッサ２３２、メモリ２３４、及びデータストレージ２３６のうちの１つ以上を含まなくてよい。
【００２９】
一般に、プロセッサ２３２は、様々なコンピュータ・ハードウェア又はソフトウェア・モジュールを含む如何なる適切な特別目的の又は汎用のコンピュータ、コンピューティング・エンティティ、又はプロセッシングデバイスも含んでよく、如何なる適用可能なコンピュータ可読記憶媒体にも記憶されている命令を実行するよう構成されてよい。例えば、プロセッサ２３２は、マイクロプロセッサ、マイクロコントローラ、デジタル・シグナル・プロセッサ（ＤＳＰ；digital  signal  processor）、ＡＳＩＣ、ＦＰＧＡ、あるいは、プログラム命令を解釈するよう及び／若しくは実行するよう並びに／又はデータを処理するよう構成されるあらゆる他のデジタル又はアナログ回路構成を含んでよい。図２では単一のプロセッサとして表されているが、プロセッサ２３２は、本願で記載される動作をいくつでも個別的に又は集合的に実施するよう構成されるプロセッサをいくつでも含んでよい。その上、プロセッサのうちの１つ以上は、１つ以上の異なる電子デバイスに存在してよい。いくつかの実施形態において、プロセッサ２３２は、メモリ２３４、データストレージ２３６、又はメモリ２３４及びデータストレージ２３６に記憶されているプログラム命令を解釈及び／若しくは実行し、並びに／又はメモリ２３４、データストレージ２３６、又はメモリ２３４及びデータストレージ２３６に記憶されているデータを処理し得る。いくつかの実施形態において、プロセッサ２３２は、データストレージ２３６からプログラム命令をフェッチし、メモリ２３４にプログラム命令をロードし得る。プログラム命令がメモリ２３４にロードされた後、プロセッサ２３２はプログラム命令を実行し得る。
【００３０】
メモリ２３４及びデータストレージ２３６は、コンピュータ実行可能命令又はデータ構造を搬送する又は記憶しているコンピュータ可読記憶媒体又は１つ以上のコンピュータ可読記憶媒体を含んでよい。そのようなコンピュータ可読記憶媒体は、プロセッサ２３２のような、汎用又は特別目的のコンピュータによってアクセスされ得る如何なる利用可能な媒体であってもよい。例として、制限なしに、そのようなコンピュータ可読記憶媒体は、ランダム・アクセス・メモリ（ＲＡＭ；Random  Access  Memory）、リード・オンリー・メモリ（ＲＯＭ；Read-Only  Memory）、電気的消去可能なプログラム可能リード・オンリー・メモリ（ＥＥＰＲＯＭ；Electrically  Erasable  Programmable  Read-Only  Memory）、コンパクト・ディスク−リード・オンリー・メモリ（ＣＤ−ＲＯＭ；Compact  Disc  Read-Only  Memory）若しくは他の光ディスクストレージ、磁気ディスクストレージ若しくは他の磁気記憶デバイス、フラッシュ・メモリ・デバイス（例えば、ソリッドステート・メモリデバイス）、又はコンピュータ実行可能命令若しくはデータ構造の形で所望のプログラムコードを搬送若しくは記憶するために使用されてよく且つ汎用若しくは特別目的のコンピュータによってアクセスされ得るあらゆる他の記憶媒体を含んでよい。それらの組み合わせも、コンピュータ可読記憶媒体の適用範囲内に含まれてよい。コンピュータ実行可能命令は、例えば、プロセッサ２３２に特定の動作又は動作のグループを実施させるよう構成される命令及びデータを含んでよい。
【００３１】
表されてはいないが、アクセスポイント（例えば、図１のアクセスポイント１０２）は、図２の無線デバイス２０２の要素に類する又はそれら要素と同じ少なくともいくつかの要素を含んでよい。例えば、本願で記載される少なくとも１つの実施形態に従うアクセスポイントは、図２の無線デバイス２０２のハードウェア２３０、トランシーバ２２０、及びアンテナ２１０と同じハードウェア、トランシーバ、及びアンテナを含んでよい。その上、アクセスポイントのハードウェアは、図２の無線デバイス２０２のプロセッサ２３２、メモリ２３４、及びデータストレージ２３６と同じプロセッサ、メモリ、及びデータストレージのうちの１つ以上を含んでよい。
【００３２】
［１．ＬＴＥ−Ａ  Ｄ２Ｄセカンダリ同期シーケンス設計］
図１及び図２を組み合わせて参照して、無線デバイス１０４、２０２によって送信され得るＤ２Ｄディスカバリ・メッセージは、Ｄ２Ｄ同期信号（Ｄ２ＤＳＳ又はＤ２ＤＳＳ伝送）及び物理Ｄ２Ｄ同期チャネル（ＰＤ２ＤＳＣＨ又はＰＤ２ＤＳＣＨ伝送）を含んでよい。Ｄ２ＤＳＳ伝送及びＰＤ２ＤＳＣＨ伝送は、無線デバイス１０４、２０２のうちの対応する１つによる伝送を含み、その送信範囲内にある他の無線デバイス１０４、２０２へ同期を供給する。夫々のＤ２ＤＳＳ及び／又はＰＤ２ＤＳＣＨ伝送は、無線デバイス１０４、２０２のうちの対応する１つからの他の無線デバイス１０４、２０２による受信のための時間及び／又は周波数同期としての機能を果たしてよい。Ｄ２ＤＳＳ伝送は、ネットワーク内、部分ネットワーク、又はネットワーク外カバレッジ無線デバイス１０４、２０２によって送信され得る。
【００３３】
Ｄ２ＤＳＳ伝送は、プライマリ（primary）Ｄ２Ｄ同期シーケンス伝送（ＰＤ２ＤＳＳ又はＰＤ２ＤＳＳ伝送）及びセカンダリ（secondary）Ｄ２Ｄ同期シーケンス伝送（ＳＤ２ＤＳＳ又はＳＤ２ＤＳＳ伝送）を含む。夫々のＰＤ２ＤＳＳ伝送は、最初の時間及び周波数推定のために、対応する受信側（ＲＸ）無線デバイス１０４、２０２によって使用されてよい。夫々のＳＤ２ＤＳＳ伝送は、精緻な時間及び周波数推定のために、対応するＲＸ無線デバイス１０４、２０２によって使用されてよい。
【００３４】
現在の３ＧＰＰ  ＬＴＥ／ＬＴＥ−Ａ仕様（リリース８〜１１）はＤ２Ｄをサポートしないが、現在の３ＧＰＰ  ＬＴＥ／ＬＴＥ−Ａ仕様（リリース８〜１１）は、ＰＤ２ＤＳＳ伝送及びＳＤ２ＤＳＳ伝送と夫々同じである非Ｄ２Ｄのプライマリ同期シーケンス伝送（ＰＳＳ伝送又はＰＳＳ）及び非Ｄ２Ｄのセカンダリ同期シーケンス伝送（ＳＳＳ伝送又はＳＳＳ）を定義する。現在の３ＧＰＰ  ＬＴＥ／ＬＴＥ−Ａ仕様（リリース８〜１１）は、参照により本願に援用される。
【００３５】
ＲＡＮ１＃７８協議合意と呼ばれる協議合意は、ＰＤ２ＤＳＳ及びＳＤ２ＤＳＳの態様を定義する。ＲＡＮ１＃７８協議に関連した文書は、http://www.3gpp.org/ftp/Meetings_3GPP_SYNC/RAN1/Inbox/Chairman_notes/（２０１４年１１月３日付けでアクセス済み）で入手可能であり、参照により本願に援用される。ＲＡＮ１＃７８協議合意は、ＰＤ２ＤＳＳ伝送の様々な態様を特定する。例えば、ＰＤ２ＤＳＳシーケンスは、新しいルートインデックスを含んでよく、詳細なルートインデックスは、更なる調査のためのトピック（ＦＦＳ）である。その上、ＰＤ２ＤＳＳの波形は、離散フーリエ変換（ＤＦＴ；discrete  Fourier  transform）プリコーディングを伴わない単搬送波（single-carrier）周波数分割多重化（frequency  division  multiplexing）（ＳＣ−ＦＤＭ）を含んでよい。更には、ＰＤ２ＤＳＳのサブフレーム内のシンボルの数は、２つのシンボルを含んでよい。
【００３６】
ＲＡＮ１＃７８協議合意は、ＳＤ２ＤＳＳ伝送の様々な態様も特定する。例えば、ＳＤ２ＤＳＳ伝送のシーケンスは、リリース８ＳＳＳについてと同じシーケンスのいずれかを含んでよい。その上、夫々のＳＤ２ＤＳＳ伝送の波形は、ＰＤ２ＤＳＳ伝送と比較して電力が低減された、ＤＦＴプリコーディングを伴わないＳＣ−ＦＤＭを含んでよい。ＲＡＮ１＃７８協議のトピックＦＦＳは、ＳＤ２ＤＳＳ伝送のための、電力を低減されたメカニズムを特定する方法を含む。更には、夫々のＳＤ２ＤＳＳ伝送のサブフレーム内のシンボルの数は、２を含んでよい。本願で記載されるいくつかの実施形態は、ＳＤ２ＤＳＳ伝送のシーケンスに関係がある。
【００３７】
ＰＳＳ及びＳＳＳ伝送は、ＳＤ２ＤＳＳ伝送に関する例となる実施形態を説明する前に、更に詳細に記載される。セル探索は、受信器がセルとの時間及び周波数同期を得、そのセルの物理層セル識別子（ＩＤ）を検出するためのプロセスである。ＬＴＥシステムにおいて、このプロセスは、ＰＳＳ及びＳＳＳの使用によって容易にされ得る。同期信号（例えば、ＰＳＳ及びＳＳＳ）は、サブフレーム０及び５の最初のスロット内の最後の２つの直交周波数分割多重化（ＯＦＤＭ）シンボルに挿入される特定のシーケンスである。ＰＳＳは、ＰＳＳチャネル（ＰＳＳＣ）において搬送され、ＳＳＳは、ＳＳＳチャネル（ＳＳＳＣ）において搬送される。ＰＳＳは、通常は、タイミング及び周波数取得のために使用され、一方、ＳＳＳは、通常は、セルＩＤ及び他のセル固有の情報を取得するために使用される。ＰＳＳＣ及びＳＳＳＣはいずれも、信号の中心にある９６０キロヘルツ（ｋＨｚ）に位置することができ、５ミリ秒（ｍｓ）ごとにシンボルに到達し得る。ＰＳＳの３つのとり得る値及びＳＳＳの１６８個のとり得る値が存在する。よって、ＰＳＳ及びＳＳＳの組み合わせは３×１６８＝５０４通りであり、夫々の組み合わせはセルＩＤと呼ばれる。ＰＳＳの３つのとり得る値はＮＩＤ２、ＮＩＤ２（０〜２）、又はインデックスＮＩＤ２と呼ばれてよく、ＳＳＳの１６８個のとり得る値は、ＮＩＤ１、ＮＩＤ１（０〜１６７）、又はインデックスＮＩＤ１と呼ばれてよい。
【００３８】
リリース８ＳＳＳに関して、ＳＳＳシーケンスは、ＮＩＤ１（０〜１６７）及びＮＩＤ２（０〜２）の関数、並びにサブフレーム番号（ＳＦＮ＝０又は５）であってよい。ＳＳＳシーケンスは、ＳＳＳ（ＮＩＤ１，ＮＩＤ２，ＳＦＮ）と表され得る。ダウンリンク（ＤＬ）ＳＳＳはＯＦＤＭシンボルとして変調され得る。ＳＤ２ＤＳＳは、ＤＦＴを伴わないＳＣ−ＦＤＭとして送信され得る。ＳＤ２ＤＳＳがＳＳＳと同じシーケンスを使用するとのＲＡＮ１＃７８協議合意により、ＳＤ２ＤＳＳの設計は、ＳＳＳシーケンスの組からＳＤ２ＤＳＳシーケンスを選択することに制限され得る。
【００３９】
ＳＤ２ＤＳＳは２つのシンボルを占有し得る。最大２つまでのシーケンスがＳＤ２ＤＳＳのために必要とされ得る。全てのＳＳＳシーケンスがＳＤ２ＤＳＳシーケンスのためにそのままで使用される場合に、それは、大きなピーク対平均電力比（ＰＡＰＲ；peak-to-average-power  ratio）及びキュービック・メトリック（ＣＭ；cubic  metric）を生じさせる可能性があり、場合により信号品質を劣化させる。これは、ＳＤ２ＤＳＳがＰＤ２ＤＳＳよりも低い電力で送信されることを要求しうる。ＳＤ２ＤＳＳのより低い送信電力は、ＳＤ２ＳＳ受信性能を低下させる可能性がある。
【００４０】
Ｄ２ＤＳＳ（例えば、ＰＤ２ＤＳＳ／ＳＤ２ＤＳＳ）伝送がＰＤ２ＤＳＣＨにより送信されるとき、Ｄ２ＤＳＳはサブフレーム番号（ＳＦＮ）（例えば、ネットワーク・カバレッジ内の場合）、又はＤ２Ｄフレーム番号（ＤＦＮ）（例えば、ネットワーク・カバレッジ外の場合）を搬送してよい。ＳＦＮ及びＤＦＮはいずれも、総称的に、本願ではサブフレーム番号と呼ばれ得る。それら及び他の実施形態において、２つのシンボルにおいて異なるＳＤ２ＤＳＳ波形を送信することは不要であり得る。セル間ディスカバリの例についてのみ、ＳＤ２ＤＳＳは単独で（例えば、ＰＤ２ＤＳＳなしで）送信され得る。代替的に、又はその上、リソース及び関連するサブフレーム番号は、システム情報ブロック（ＳＩＢ；system  information  block）と通じてアクセスポイント１０２によって信号伝送され得る。然るに、この例ではＳＤ２ＤＳＳによりサブフレーム番号を示すことは不要であり得る。それら及び他の例において、本願で記載される実施形態は、同じシーケンス及び波形を用いて２つのＳＤ２ＤＳＳシンボル（１及び２）を送信してよい。そのようなものとして、対応するＲＸ無線デバイス１０４、２０２は、より良い検出結果のために２つのＳＤ２ＤＳＳシンボルを結合してよい。サブフレーム０におけるＳＳＳのシーケンスは、２つのＳＤ２ＤＳＳシンボル（１及び２）を送信するために使用されてよい。代替的に、又はその上、ＳＤ２ＤＳＳシーケンスは、式１：
ＳＤ２ＤＳＳ（ＮＩＤ１，ＮＩＤ２）
＝ＳＳＳ（ＮＩＤ１，ｍｏｄ（ＮＩＤ２，３），０）      式１
に従って、この及び他の例において表現され得る。式１において、ｍｏｄ（）はモジュロ関数である。ＮＩＤ１及びＮＩＤ２の所与の組み合わせに関して、式１は、そのＮＩＤ１及び（ＮＩＤ２，３）についてサブフレーム０においてＳＳＳシーケンスを出力する。ＳＳＳシーケンスは、ＮＩＤ１（０〜１６７）及びＮＩＤ２（０〜２）を用いて生成され得る。Ｄ２ＤＳＳに関して、ＰＤ２ＤＳＳはＮＩＤ２を搬送し得る。ＳＤ２ＤＳＳとして（ＮＩＤ１，ＮＩＤ２）（又はＳＳＳ（ＮＩＤ１，ｍｏｄ（ＮＩＤ２，３），０））として生成されたＳＤ２ＤＳＳシーケンスは、広範なＰＡＰＰ及びＣＭを有し得る。これより、ＳＤ２ＤＳＳ  ＰＡＰＲ（ＳＳＳ  ＰＡＰＲと同等であり得る。）は、式２：
ＰＡＰＲ（ＮＩＤ１）
＝ｍａｘＮＩＤ２ＰＡＰＲ（ＳＤ２ＤＳＳ（ＮＩＤ１，ｍｏｄ（ＮＩＤ２，３）））
式２
に従ってＮＩＤ１の関数として定義される、とする。式２において、ｍａｘは最大化関数である。所与のＮＩＤ１に関して、式２は、その所与のＮＩＤ１についてのＰＳＳの３つのとり得る値（例えば、ＮＩＤ２（０〜２））に対応する３つの異なったＳＤ２ＤＳＳ  ＰＡＰＲの中から最も高いＳＤ２ＤＳＳ  ＰＡＰＲを出力する。
【００４１】
図３Ａは、本願で記載される少なくとも１つの実施形態に従って配置される、式２に従ってＮＩＤ１の関数として計算されたＰＡＰＲのグラフ表示である。図３Ｂは、本願で記載される少なくとも１つの実施形態に従って配置される、計算されたＰＡＰＲの昇順において並べられた図３Ａの計算されたＰＡＰＲのグラフ表示である。
【００４２】
図３Ａ及び３Ｂに表されているように、あらゆるＳＳＳが使用される場合に、最大ＰＡＰＲは相当に大きく、例えば、約９．８４デシベル（ｄＢ）である。そのように大きい最大ＰＡＰＲは、ＰＤ２ＤＳＳに対して相対的に大きい電力バックオフを必要とし、ＳＤ２ＤＳＳの性能（検出確率及びチャネル推定）を低下させうる。しかし、本願で記載される実施形態に従って、相対的に低いＰＡＰＲ及び／又は相対的に低いＣＭを有するＮ個のＳＳＳシーケンスのサブセットは、ＳＤ２ＤＳＳシーケンスとしての使用のために利用可能として選択され得る。Ｎ個のＳＳＳシーケンスのサブセットの選択は、ＮＩＤ１の有効範囲を減じるが、ＳＤ２ＤＳＳのより高い送信電力を可能にし得る。一例として、最も低いＰＡＰＲを有している図３Ａ及び３ＢのＮ＝１００個のシーケンスが選択され、それにより、より高いＰＡＰＲを有している１６８−Ｎ（すなわち、Ｎ＝１００ならば６８）個の残りのシーケンスがＳＤ２ＤＳＳシーケンスとしての使用から除外される場合には、最大ＰＡＰＲは、約９．８４ｄＢに対して、ほんの約７．８ｄＢである。然るに、無線デバイスは、Ｎ＝１００についての最悪の場合のシナリオ（例えば、ＰＡＰＲ＝７．８ｄＢ）が、１６８個のとり得るシーケンスの一式が考えられる場合の最大ＰＡＰＲ（例えば、９．８４ｄＢ）におおよそ到達する前に、Ｎ＝１００の場合に２ｄＢ高い電力を有してＳＤ２ＤＳＳを送信し得る。
【００４３】
それら及び他の実施形態において、Ｎ個のＳＳＳの選択されたサブセットのインデックスＮＩＤ１は、連続的でなくてよく、一方、Ｎ個のＳＤ２ＤＳＳの組のインデックスＮＩＤ１（｛０，・・・，Ｎ−１｝）は、連続的であり得る。然るに、Ｎ個のＳＳＳの選択されたサブセットのインデックスＮＩＤ１とＮ個のＳＤ２ＤＳＳの組のインデックスＮＩＤ１との間のマッピングが定義され得る。マッピングは、標準仕様において、又は１つ以上の独自のマッピングにおいて、定義されてよい。
【００４４】
それら及び他の実施形態において、ＳＤ２ＤＳＳは、ＰＤ２ＤＳＳに対して一定の電力バックオフにより送信されてよい。一定の電力バックオフは、ＰＤ２ＤＳＳシーケンス及びＳＤ２ＤＳＳシーケンスの最大ＰＡＰＲどうし（本願では最大ＰＡＰＲ（ＰＤ２ＤＳＳ）及び最大ＰＡＰＲ（ＳＤ２ＤＳＳ）と呼ばれる。）を比較することによって計算され得る。例えば、最大ＰＡＰＲ（ＳＤ２ＤＳＳ）−最大ＰＡＰＲ（ＰＤ２ＤＳＳ）＝ｘｄＢである場合に、全てのＳＤ２ＤＳＳ伝送は、ＰＤ２ＤＳＳに対するｘｄＢの電力バックオフ、又はＰＤ２ＤＳＳよりもｘｄＢ低い電力により、送信され得る。この及び他の実施形態において、最大ＰＡＰＲ（ＳＤ２ＤＳＳ）は、Ｎ個の最も低いＰＡＰＲを有している図３Ａ及び３ＢのＮ個のシーケンスの中の最大ＰＡＰＲ、及びＰＤ２ＤＳＳのＰＡＰＲとして、決定され得る。
【００４５】
代替的に、ＳＤ２ＤＳＳの電力バックオフは、ＳＤ２ＤＳＳシーケンス及びＰＤ２ＤＳＳシーケンスのＰＡＰＲを比較することによって個別的に設定されてよい。例えば、所与のＳＤ２ＤＳＳ及びＰＤ２ＤＳＳの対に関して、ＰＡＰＲ（ＳＤ２ＤＤ）−ＰＡＰＲ（ＰＤ２ＤＳＳ）＝ｘｄＢである場合に、ＳＤ２ＤＳＳは、ＰＤ２ＤＳＳに対するｘｄＢの電力バックオフ、又はＰＤ２ＤＳＳよりもｘｄＢ低い電力により、送信され得る。
【００４６】
いくつかの実施形態において、Ｎ個のＳＤ２ＤＳＳシーケンスの組（Ｎ個のＳＳＳシーケンスのサブセットと同じである。）は、対応するＰＡＰＲ及び／又はＣＭに基づき２つ以上のサブセットに更に分けられてよい。夫々のサブセットは、ＰＡＰＲ及び／又はＣＭの特定範囲内にあるＰＡＰＲ及び／又はＣＭを有しているＳＤ２ＤＳＳを含んでよい。それらのサブセットは、ＰＡＰＲ及び／又はＣＭの重なり合わない範囲を有してよい。異なるサブセットへのＳＤ２ＤＳＳのコンフィグレーションは、ＳＩＢ又はラジオ・リソース・コントロール（ＲＲＣ）又はプレコンフィグレーション（pre-configuration）において行われ得る。
【００４７】
比較的大きいＰＡＰＲ及び／又はＣＭを有しているＳＤ２ＤＳＳのサブセットは、（アクセスポイント１０２に対する）電力制御に従うネットワーク・カバレッジ内の無線デバイス１０４、２０２によって使用されてよい。アクセスポイント１０２は、ＲＲＣコンフィグレーションを通じてＲＲＣ＿ＣＯＮＮＥＣＴＥＤ無線デバイス１０４、２０２のためにＳＤ２ＤＳＳを構成してよい。
【００４８】
ネットワーク外の無線デバイス１０４、２０２は、ＳＤ２ＤＳＳのサブセットのうちの１つ以上からＳＤ２ＤＳＳを選択するよう構成されてよい。プレコンフィグレーション又はＲＲＣシグナリングは、そのようなネットワーク外の無線デバイス１０４、２０２によってどのＳＤ２ＤＳＳが使用されるべきかを決定するために使用されてよい。
【００４９】
図４は、本願で記載される少なくとも１つの実施形態に従って配置される、ＬＴＥ−Ａ  Ｄ２Ｄセカンダリ同期シーケンス設計の例となる方法４００のフローチャートを表す。図４の方法は、全体として又は部分的に、図１若しくは図２のアクセスポイント１０２若しくは無線デバイス１０４、２０２、ｅＮＢ、ＵＥ、又は他のＬＴＥ−Ａネットワーク要素、コンピュータデバイス、若しくは通信デバイスによって実装されてよい。
【００５０】
図４の方法４００は、より低いＰＡＰＲ及び／又はＣＭを有しているＮ個のＳＳＳシーケンスのサブセットをＳＤ２ＤＳＳシーケンスの組として選択すること４０２を含んでよい。代替的に、又はその上、より低いＰＡＰＲ及び／又はＣＭを有しているＮ個のＳＳＳシーケンスのサブセットをＳＤ２ＤＳＳシーケンスの組として選択するより前に、方法４００は、前述の式２に従ってＳＳＳシーケンスの夫々についてＰＡＰＲを計算することを含んでよい。代替的に、又はその上、選択されたＮ個の２Ｄ２ＤＳＳシーケンスのインデックスＮＩＤ１は連続的でなくてよいので、方法４００は、Ｎ個のＮＩＤ１（｛０，・・・，Ｎ−１｝）の選択されたサブセットとＮＩＤ１との間のマッピングを定義することを更に含んでよい。
【００５１】
方法４００は、ＰＤ２ＤＳＳに対するＳＤ２ＤＳＳの電力バックオフレベルをそれらのＰＡＰＲの差に基づき計算すること４０４を更に含んでよい。電力バックオフのレベルを計算することの例は、先に記載されている。
【００５２】
方法４００は、ＰＡＰＲ及び／又はＣＭに基づきＳＤ２ＤＳＳシーケンスの組をサブセットに分けること４０６を更に含んでよい。夫々のサブセットは、ＰＡＰＲ及び／又はＣＭの特定の範囲内にあるＰＡＰＲ及び／又はＣＭを有しているＳＤ２ＤＳＳを含んでよい。ＳＤ２ＤＳＳシーケンスのサブセットは、ＰＡＰＲ及び／又はＣＭの重なり合わない範囲を有してよい。異なるサブセットへのＳＤ２ＤＳＳのコンフィグレーションは、ＳＩＢ又はラジオ・リソース・コントロール（ＲＲＣ）又はプレコンフィグレーションにおいて行われ得る。
【００５３】
方法４００は、アクセスポイント又はｅＮＢ（例えば、図１のアクセスポイント１０２）までの無線デバイス（例えば、図１及び２の無線デバイス１０４、２０２）の経路損失に基づき、１つ以上の特定のＳＤ２ＤＳＳ又はＳＤ２ＤＳＳのサブセットを無線デバイスに割り当てること４０８を更に含んでよい。
【００５４】
方法４００は、ＳＤ２ＤＳＳサブセットに割り当てられた夫々の無線デバイスについて、そのサブセットの中からＳＤ２ＤＳＳシーケンスを選択することを更に含んでよい。
【００５５】
当業者に明らかなように、本願で記載されるこの及び他のプロセス及び方法に関して、プロセス及び方法において行われる機能は、異なる順序で実装されてよい。更には、説明されているステップ及び動作は、単に例として与えられており、ステップ及び動作のうちの一部は、開示されている実施の本質から逸脱することなしに、任意であっても、より少ないステップ及び動作にまとめられても、あるいは、更なるステップ及び動作に拡大されてもよい。
【００５６】
本願で記載される実施形態は、図４の動作のうちの１つ以上を実施する又はその実施を制御するようプロセッサデバイスによって実行可能であるコンピュータ命令を記憶している１つ以上の非一時的なコンピュータ可読媒体を含んでよい。例えば、図２の無線デバイス２０２のメモリ２３４及び／又はデータストレージ２３６には、図４の動作のうちの１つ以上を実施する又はその実施を制御するよう図２のプロセッサ２３２によって実行可能であるコンピュータ命令が記憶されていてよい。代替的に、又はその上、図１のアクセスポイント１０２の非一時的なコンピュータ可読媒体（例えば、メモリ又はデータストレージ）には、図４の動作のうちの１つ以上を実施する又はその実施を制御するようアクセスポイント１０２のプロセッサによって実行可能であるコンピュータ命令が記憶されていてよい。
【００５７】
［２．ＬＴＥ−Ａ  Ｄ２Ｄ同期信号のための電力制御モード］
再び図１及び２を参照すると、Ｄ２ＤＳＳ及びＰＤ２ＤＳＣＨは、無線デバイス１０４、２０２による伝送を含み、送信範囲内にある他の無線デバイス１０４、２０２へ同期を提供する。Ｄ２ＤＳＳ及び／又はＰＤ２ＤＳＣＨ伝送は、無線デバイス１０４、２０２のうちの対応する１つからの他の無線デバイス１０４、２０２による受信のための時間及び／又は周波数同期としての機能を果たしてよい。Ｄ２ＤＳＳ伝送は、ネットワーク内、部分ネットワーク、又はネットワーク外カバレッジ無線デバイス１０４、２０２によって送信され得る。Ｄ２ＤＳＳはＰＤ２ＤＳＳ及びＳＤ２ＤＳＳを含んでよい。
【００５８】
Ｄ２ＤＳＳ及びＰＤ２ＤＳＣＨは、アクセスポイント１０２までの経路損失に対して開ループ電力制御に従ってよい。電力制御パラメータ（α，Ｐ０）の専用の組は、開ループ電力制御において使用されてよい。異なるＰＡＰＲにより、ＳＤ２ＤＳＳ及びＰＤ２ＤＳＣＨは、ＰＤ２ＤＳＳに対して低減された電力レベルにより（場合により異なる電力バックオフ値により）送信され得る。
【００５９】
Ｄ２Ｄ通信は、時々（ＳＡ，データ）と表記される、スケジューリング・アサインメント（ＳＡ）及びデータを含んでよい。Ｄ２Ｄ通信（ＳＡ，データ）は、それ自身のパラメータによる電力制御に従ってよい。最大電力での送信もサポートされ得る。無線デバイス１０４、２０２へのアクセスポイント１０２の指示において、その指示は、ダウンリンク制御情報（ＤＣＩ）、サブフレーム５（ＤＣＩ５）において含まれてよく、シングル・ビットは、複数の電力制御モード（例えば、最大電力モード又は被制御電力モード）のうちのどれが使用されるかに関して無線デバイス１０４、２０２に指示するために使用されてよい。どの電力制御モードを使用すべきかに関して無線デバイス１０４、２０２に指示するためにＤＣＩ５で使用されるビットは、送信電力制御ビットと呼ばれ得る。ＳＡ及びデータは、アクセスポイント１０２からの指示に応答して２つの電力制御レベル又はモードの間を切り替えてよい。その命令は、送信電力制御によって知らされてよい。
【００６０】
Ｄ２ＤＳＳ及びＰＤ２ＤＳＣＨ同期信号がフルパワーに満たない電力で無線デバイス１０４、２０２によって送信され得る被制御電力モードにおける送信にＤ２ＤＳＳ及びＰＤ２ＤＳＣＨが制限される場合に、問題を起こり得る。例えば、ＳＡ及びデータが最大電力（例えば、フルパワー）により送信されるときに、Ｄ２ＤＳＳ及びＰＤ２ＤＳＣＨ（以降、「ＳＤ２ＤＳＳ／ＰＤ２ＤＳＣＨ」）が制御された電力により送信される場合に、そっらは、ＳＡ及びデータよりも少ない送信電力及び少ない送信範囲を有しうる。そのようなものとして、いくつかのＲＸ無線デバイス１０４、２０２は、Ｄ２ＤＳＳ／ＰＤ２ＤＳＣＨから同期を得ることができず（例えば、それらは、より低電力のＤ２ＤＳＳ／ＰＤ２ＤＳＣＨの範囲外にありうる。）、従って、たとえＳＡ及びデータが復号されるよう十分な電力を有して受信されるとしても、同期の欠如によりＳＡ及びデータを適切に復号することができない可能性がある。
【００６１】
しかし、本願で記載されるいくつかの実施形態において、Ｄ２ＤＳＳ／ＰＤ２ＤＳＣＨは、ＳＡ及びデータも最大電力で送信されているときに、ＳＡ及びデータの送信電力に一致するよう最大電力（例えば、フルパワー）で送信され得る。最大電力によるＤ２ＤＳＳ／ＰＤ２ＤＳＣＨの送信は、以下のスキームのうちの１つ以上に従って達成され得る。
【００６２】
第１のスキームの下で、無線デバイス１０４、２０２が、ＳＡ及びデータのために最大送信電力を使用するようアクセスポイント１０２からＤＣＩ５を受信するときに、無線デバイス１０４、２０２は、自動的に最大電力でＤ２ＤＳＳ／ＰＤ２ＤＳＣＨを送信する。ＳＡ及びデータの送信が制御された電力レベルによる送信に戻されるときに、Ｄ２ＤＳＳ／ＰＤ２ＤＳＣＨも、制御された電力レベルで送信される。然るに、第１のスキームの下で、ＤＣＩ５における送信電力制御は、ＳＡ及びデータのための送信電力を決定することに加えて、Ｄ２ＤＳＳ／ＰＤ２ＤＳＣＨのための送信電力も決定し得る。
【００６３】
第２のスキームの下で、アクセスポイント１０２が、ＳＡ及びデータのために最大送信電力に切り替えるようＤＣＩ５を無線デバイス１０４、２０２へ送る前に、それは、最大電力レベルで送信するように無線デバイス１０４、２０２を（例えば、ＲＲＣを通じて）構成する。無線デバイス１０４、２０２を構成することは、ＲＲＣ信号内の専用のビットにより行われてよい。ＲＲＣ信号内の専用のビットは、Ｄ２ＤＳＳ及びＰＤ２ＤＳＣＨのためにどの電力制御モード（例えば、最大電力又は被制御電力）を使用すべきかを無線デバイス１０４、２０２に指示してよい。例えば、専用のビットはセットされてよく、すなわち、２つの電力制御モードのうちの一方を示すよう第１の値（例えば、１）を有してよく、あるいは、２つの電力制御モードのうちの他方を示すよう第２の値（例えば、２）を有してよい。代替的に、又はその上、アクセスポイント１０２は、アクセスポイント１０２によって決定されるように、Ｄ２ＤＳＳ及びＰＤ２ＤＳＣＨの最大電力送信又は被制御電力送信を可能にするよう、適切な電力制御モードに対応する（α，Ｐ０）パラメータにより無線デバイス１０４、２０２を構成してよい。
【００６４】
第１及び第２の両スキームの下で、無線デバイス１０４、２０２は、アクセスポイント１０２によって制約及び信号伝送されるように、２つの電力制御モードのうちの対応する１つにおいて、送信してよい。例えば、第１のスキームの下で、無線デバイス１０４、２０２は、最大送信電力によるＳＡ及びデータの送信を指示するアクセスポイント１０２からのＤＣＩ５を受信することに応答して、最大電力でＤ２ＤＳＳ／ＰＤ２ＤＳＣＨを送信してよく、あるいは、制御された電力によるＳＡ及びデータの送信を指示するアクセスポイント１０２からのＤＣＩ５を受信することに応答して、制御された電力でＤ２ＤＳＳ／ＰＤ２ＤＳＣＨを送信してよい。他の例として、第２のスキームの下で、無線デバイス１０４、２０２は、無線デバイス１０４、２０２を最大電力に設定する又は最大電力のための（α，Ｐ０）パラメータを構成するアクセスポイント１０２からのＲＲＣ信号の受信に応答して、最大電力でＤ２ＤＳＳ／ＰＤ２ＤＳＣＨを送信してよく、あるいは、無線デバイス１０４、２０２を制御された電力に設定する又は制御された電力のための（α，Ｐ０）パラメータを構成するアクセスポイント１０２からのＲＲＣ信号の受信に応答して、制御された電力でＤ２ＤＳＳ／ＰＤ２ＤＳＣＨを送信してよい。
【００６５】
図５Ａは、本願で記載される少なくとも１つの実施形態に従って配置される、Ｄ２Ｄ同期信号の送信電力制御の例となる方法５００のフローチャートを表す。図５Ａの方法５００は、前述の第１のスキームに対応してよく、図５Ａでは「スキーム１」と表記されている。図５Ａの方法５００は、全体として又は部分的に、図１若しくは図２のアクセスポイント１０２若しくは無線デバイス１０４、２０２、ｅＮＢ、ＵＥ、又は他のＬＴＥ−Ａネットワーク要素、コンピュータデバイス、若しくは通信デバイスによって実装されてよい。例えば、図５Ａにおいて、「アクセスポイント」及び「無線デバイス」との表記は、図１又は２のアクセスポイント１０２及び無線デバイス１０４、２０２によって夫々実施され得る動作に相当する様々なブロックの上にある。
【００６６】
図５Ａの方法５００は、アクセスポイント１０２がＤ２Ｄ  ＳＡ及びデータ通信のためのリソース及び電力制御モードを決定すること５０２を含んでよい。電力制御モードは、最大電力（すなわち、最大電力モード）又は制御された制御電力（被制御電力モード）を含んでよい。方法５００は、アクセスポイント１０２がスケジューリング情報をＤＣＩ５において無線デバイス１０４、２０２へ送ること５０４を更に含んでよい。スケジューリング情報は、Ｄ２Ｄ  ＳＡ及びデータ通信のための決定された電力制御モードを示すことができる送信電力制御ビットを含んでよい。セットされた、又は第１の値（例えば、１）を有している送信電力制御ビットは、最大電力モードを示してよく、セットされていない、又は第２の値（例えば、０）を有している送信電力制御ビットは、被制御電力を示してよい。あるいは、その逆も同様である。
【００６７】
方法５００は、無線デバイス１０４、２０２が送信電力制御ビットを含むＤＣＩ５をアクセスポイント１０２から受信すること５０６を更に含んでよい。方法５００は、無線デバイス１０４、２０２は、ＤＣＩ５に基づき、ＳＡ及びデータが最大電力で送信されるべきかどうかを判定すること５０８を更に含んでよい。例えば、ＤＣＩ５内の送信電力制御ビットがセットされる場合には、無線デバイス１０４、２０２は、ＳＡ及びデータが最大電力で送信されるべきであると決定してよい（５０８）。あるいは、ＤＣＩ５内の送信電力制御ビットがセットされない場合には、無線デバイス１０４、２０２は、ＳＡ及びデータが最大電力で送信されるべきではなく、代わりに、制御された電力で送信されるべきであると決定５０８してよい。
【００６８】
ＳＡ及びデータが最大電力で送信されるべきであるとの決定（ブロック５１８での“Ｙｅｓ”）に応答して、方法５００は、無線デバイス１０４、２０２が最大電力でＤ２ＤＳＳ、ＰＤ２ＤＳＣＨ、ＳＡ、及びデータを送信すること５１０を更に含んでよい。その後に、方法５００はループしてよい（例えば、ブロック５０２及び５０６のうちの１つ以上へ戻る。）。ＳＡ及びデータが最大電力で送信されるべきでないとの決定（ブロック５１８での“Ｎｏ”）に応答して、方法５００は、無線デバイス１０４、２０２が制御された電力でＤ２ＤＳＳ、ＰＤ２ＤＳＣＨ、ＳＡ、及びデータを送信すること５１２を更に含んでよい。その後に、方法５００はループしてよい（例えば、ブロック５０２及び５０６のうちの１つ以上へ戻る。）。
【００６９】
本願で記載される実施形態は、図５Ａの動作のうちの１つ以上を実施する又はその実施を制御するようプロセッサデバイスによって実行可能であるコンピュータ命令を記憶している１つ以上の非一時的なコンピュータ可読媒体を含んでよい。例えば、図２の無線デバイス２０２のメモリ２３４及び／又はデータストレージ２３６には、ブロック５０６、５０８、５１０、及び／又は５１２のうちの１つ以上のような、図５Ａの１つ以上の動作を実施する又はその実施を制御するよう図２のプロセッサ２３２によって実行可能であるコンピュータ命令が記憶されていてよい。代替的に、又はその上、図１のアクセスポイント１０２の非一時的なコンピュータ可読媒体（例えば、メモリ又はデータストレージ）には、ブロック５０２及び／又は５０４のうちの１つ以上のような、図５Ａの動作のうちの１つ以上を実施する又はその実施を制御するようアクセスポイント１０２のプロセッサによって実行可能であるコンピュータ命令が記憶されていてよい。
【００７０】
図５Ｂは、本願で記載される少なくとも１つの実施形態に従って配置される、Ｄ２Ｄ同期信号の送信電力制御の他の例となる方法５５０のフローチャートを表す。図５Ｂの方法５５０は、前述の第２のスキームに対応してよく、図５Ｂでは「スキーム２」と表記されている。図５Ｂの方法５５０は、全体として又は部分的に、図１若しくは図２のアクセスポイント１０２若しくは無線デバイス１０４、２０２、ｅＮＢ、ＵＥ、又は他のＬＴＥ−Ａネットワーク要素、コンピュータデバイス、若しくは通信デバイスによって実装されてよい。例えば、図５Ｂにおいて、「アクセスポイント」及び「無線デバイス」との表記は、図１又は２のアクセスポイント１０２及び無線デバイス１０４、２０２によって夫々実施され得る動作に相当する様々なブロックの上にある。
【００７１】
図５Ｂの方法５５０は、アクセスポイント１０２が、Ｄ２Ｄ  ＳＡ及びデータ通信のためのリソース及び電力制御モードを決定すること５５２を含んでよい。電力制御モードは、最大電力（すなわち、最大電力モード）又は制御された電力（すなわち、被制御電力モード）を含んでよい。方法５５０は、アクセスポイント１０２が、Ｄ２Ｄ  ＳＡ及びデータ通信のための決定された電力制御モードが、Ｄ２Ｄ  ＳＡ及びデータのためのリソース及び電力制御モードの決定より前にそうであったのと同じであるかどうかを判定すること５５４を更に含んでよい。
【００７２】
決定された電力制御モードが以前にそうであったのと同じであるとの決定（ブロック５５４での“Ｙｅｓ”）に応答して、方法５５０は、アクセスポイント１０２がスケジューリング情報をＤＣＩ５において無線デバイス１０４、２０２へ送ること５５８を更に含んでよい。決定された電力制御モードが以前にそうであったのと同じでないとの決定（ブロック５５４での“Ｎｏ”）に応答して、方法５５０は、アクセスポイント１０２が、電力制御モードを設定するようＲＲＣ信号を無線デバイス１０４、２０２へ送ること５５６、又は決定された電力制御モードに従ってＤ２ＤＳＳ及びＰＤ２ＤＳＣＨのために無線デバイス１０４、２０２の（α，Ｐ０）を構成することを更に含んでよい。例えば、アクセスポイント１０２は、電力制御モードを設定するようＲＲＣ信号を無線デバイス１０４、２０２へ送ってよく（５５６）、あるいは、最大電力又は制御された電力の決定された電力制御モードに従ってＤ２ＤＳＳ及びＰＤ２ＤＳＣＨのために無線デバイス１０４、２０２の（α，Ｐ０）パラメータを構成するのに有効な信号を送ってよい。方法５５０は、ＲＲＣ信号を送った後及び／又は無線デバイス１０４、２０２の（α，Ｐ０）パラメータを構成した後、アクセスポイント１０２がスケジューリング情報をＤＣＩ５において無線デバイス１０４、２０２へ送ること５５８を更に含んでよい。
【００７３】
方法５５０は、無線デバイス１０４、２０２がアクセスポイント１０２からＲＲＣ信号を受信すること５６０、又は無線デバイス１０４、２０２がアクセスポイント１０２によって（α，Ｐ０）パラメータを構成してもらうことを更に含んでよい。方法５５０は、無線デバイス１０４、２０２が、アクセスポイント１０２からのＲＲＣ信号において指示された電力制御モードに従って、又はアクセスポイント１０２による無線デバイス１０４、２０２の（α，Ｐ０）パラメータの構成によって指示された電力制御モードに従って、Ｄ２ＤＳＳ及びＰＤ２ＤＳＣＨを送信すること５６２を更に含んでよい。
【００７４】
本願で記載される実施形態は、図５Ｂの動作のうちの１つ以上を実施する又はその実施を制御するようプロセッサデバイスによって実行可能であるコンピュータ命令を記憶している１つ以上の非一時的なコンピュータ可読媒体を含んでよい。例えば、図２の無線デバイス２０２のメモリ２３４及び／又はデータストレージ２３６には、ブロック５６０及び／又は５６２のうちの１つ以上のような、図５Ｂの１つ以上の動作を実施する又はその実施を制御するよう図２のプロセッサ２３２によって実行可能であるコンピュータ命令が記憶されていてよい。代替的に、又はその上、図１のアクセスポイント１０２の非一時的なコンピュータ可読媒体（例えば、メモリ又はデータストレージ）には、ブロック５５２、５５４、５５６、及び／又は５５８のうちの１つ以上のような、図５Ｂの動作のうちの１つ以上を実施する又はその実施を制御するようアクセスポイント１０２のプロセッサによって実行可能であるコンピュータ命令が記憶されていてよい。
【００７５】
［３．ＬＴＥ−Ａ  Ｄ２Ｄリソース構成及びＵＥ挙動］
再び図１及び２を参照して、４種類のＤ２Ｄリソース（又はリソースプール）は、いくつかの場合に部分的に又は完全に重なり合う、ネットワーク１００のようなＬＴＥ−Ａネットワークにおいて実装されてよい。４種類のＤ２Ｄリソースは、（例えば、Ｄ２ＤＳＳ及び／又はＰＤ２ＤＳＣＨのための）同期リソース、ディスカバリ、ＳＡ（時々、本願では、「Ｄ２Ｄ  ＳＡ」と呼ばれる。）、及びＤ２Ｄデータ（時々、本願では、「データ」と呼ばれる。）を含んでよい。Ｄ２Ｄ  ＳＡ及びデータは、時々、総称的に、通信と呼ばれる。無線デバイス１０４、２０２の視点から、最大４つまでのディスカバリ送信プール、最大４つまでのモード２（mode-2）ＳＡ送信プール、及び最大４つまでのモード２（mode-2）リソースプールが定義され得る。
【００７６】
本願で記載される実施形態は、重なり合う又は部分的に重なり合うＤ２Ｄリソースにより無線デバイス１０４、２０２の挙動を定義してよい。Ｄ２Ｄリソースが複数の定義されたリソースプールに含まれ、ＴＸ無線デバイス１０４、２０２が送信すべき１種類よりも多い信号又はメッセージを有しているとき、ＴＸ無線デバイス１０４、２０２は、本願で記載される無線デバイス１０４、２０２の挙動に従って、どの信号又はメッセージを送信すべきかを決定してよい。それら及び他の実施形態において、無線デバイス１０４、２０２は、重なり合うリソースにおいて異なった種類のＤ２Ｄ信号及び／又はメッセージを送信するための優先規則の組（後述される。）に従って動いてよい。
【００７７】
それら及び他の実施形態において、ＰＤ２ＤＳＣＨが送信される場合に、それは、一般的に、又は常に、Ｄ２ＤＳＳと同じ物理リソースブロック（ＰＲＢ；physical  resource  blocks）において送信されてよい。優先規則の組に従って、同期信号は、ディスカバリ、ＳＡ、又はデータリソースよりも高い優先順位を有し得る。同期信号が、次回のリソースにおけるＤ２Ｄの種類（ディスカバリ又は通信）を示し、ＴＸ無線デバイス１０４、２０２が、次のＤ２Ｄリソースにおいてどの１つ（ディスカバリ又は通信）を送信するかを決定する場合に、ＴＸ無線デバイス１０４、２０２は、次回のＤ２Ｄのトラフィックタイプを示す同期信号を送信する。
【００７８】
ディスカバリと通信ＳＡ／データとの間で、ＴＸ無線デバイス１０４、２０２は、どの１つを送信するかを決定してよい。義務的な挙動はこの環境では定義され得ない。無線デバイス１０４、２０２は、その高いレイヤ要求に基づき決定してよい。ＳＡが送信されない場合には、無線デバイス１０４、２０２は、ＳＡによってさもなければ示されただろう次のリソースにおいてデータを送信することができない。ＳＡとデータとの間で、ＳＡは最初に送信され得る。
【００７９】
Ｄ２Ｄ  ＲＸ無線デバイス１０４、２０２に関して、それは、全てのとり得るＤ２Ｄ信号／メッセージのフォーマットにおいて受信してよく、あるいは、それは、無線デバイス１０４、２０２の実現問題として残されてよい。
【００８０】
図６は、本願で記載される少なくとも１つの実施形態に従って配置される、リソース構成及び無線デバイス挙動の例となる方法６００のフローチャートを表す。図６の方法６００は、全体として又は部分的に、図１若しくは図２のアクセスポイント１０２若しくは無線デバイス１０４、２０２、ｅＮＢ、ＵＥ、又は他のＬＴＥ−Ａネットワーク要素、コンピュータデバイス、若しくは通信デバイスによって実装されてよい。例となる実施において、図６の方法６００は、図１及び２の無線デバイス１０４、２０２によって実施されてよい。
【００８１】
図６の方法６００は、重なり合うＤ２Ｄリソースにおいて送信すべき複数のＤ２Ｄ信号及び／又はメッセージがあるかどうかを判定すること６０２を含んでよい。重なり合うＤ２Ｄリソースにおいて送信すべき複数のＤ２Ｄ信号及び／又はメッセージがないとの決定（ブロック６０２での“Ｎｏ”）に応答して、方法６００は、重なり合わないＤ２ＤリソースにおいてＤ２Ｄ信号及び／又はメッセージを送信すること６０４を更に含んでよい。重なり合うＤ２Ｄリソースにおいて送信すべき複数のＤ２Ｄ信号及び／又はメッセージがあるとの決定（ブロック６０２での“Ｙｅｓ”）に応答して、方法６００は、複数のＤ２Ｄ信号及び／又はメッセージが送信すべき同期信号を含むかどうかを判定すること６０６を更に含んでよい。複数のＤ２Ｄ信号及び／又はメッセージが送信すべき同期信号を含むこと（ブロック６０６での“Ｙｅｓ”）に応答して、方法６００は、（例えば、ディスカバリ又は通信についての）同期信号の種類を決定すること６０８、及び適切な種類の同期信号を送信すること６１０を更に含んでよい。複数のＤ２Ｄ信号及び／又はメッセージが送信すべき同期信号を含まないこと（ブロック６０６での“Ｎｏ”）に応答して、方法６００は、複数のＤ２Ｄ信号及び／又はメッセージがディスカバリ・メッセージを含むかどうかを判定すること６１２を更に含んでよい。複数のＤ２Ｄ信号ディスカバリ・メッセージを含むこと（ブロック６１２での“Ｙｅｓ”）に応答して、方法６００は、ディスカバリ・メッセージを送信すること６１４を更に含んでよい。複数のＤ２Ｄ信号がディスカバリ・メッセージを含まないこと（ブロック６１２での“Ｎｏ”）に応答して、方法６００は、ＳＡを送信することを更に含んでよい。
【００８２】
本願で記載される実施形態は、図６の動作のうちの１つ以上を実施する又はその実施を制御するようプロセッサデバイスによって実行可能であるコンピュータ命令を記憶している１つ以上の非一時的なコンピュータ可読媒体を含んでよい。例えば、図２の無線デバイス２０２のメモリ２３４及び／又はデータストレージ２３６には、ブロック６０２、６０４、６０６、６０８、６１０、６１２、６１４、及び／又は６１６のうちの１つ以上のような、図６の１つ以上の動作を実施する又はその実施を制御するよう図２のプロセッサ２３２によって実行可能であるコンピュータ命令が記憶されていてよい。
【００８３】
本願で記載される実施形態は、以下で更に詳細に説明されるように、様々なコンピュータ・ハードウェア又はソフトウェア・モジュールを含む特別目的又は汎用のコンピュータの使用を含んでよい。
【００８４】
本願で記載される実施形態は、コンピュータ実行可能命令又はデータ構造を搬送する又は記憶しているコンピュータ可読媒体を用いて実装されてよい。そのようなコンピュータ可読媒体は、汎用又は特別目的のコンピュータによってアクセスされ得る如何なる利用可能な媒体であってもよい。例として、制限なしに、そのようなコンピュータ可読媒体は、ランダム・アクセス・メモリ（ＲＡＭ；Random  Access  Memory）、リード・オンリー・メモリ（ＲＯＭ；Read-Only  Memory）、電気的消去可能なプログラム可能リード・オンリー・メモリ（ＥＥＰＲＯＭ；Electrically  Erasable  Programmable  Read-Only  Memory）、コンパクト・ディスク−リード・オンリー・メモリ（ＣＤ−ＲＯＭ；Compact  Disc  Read-Only  Memory）若しくは他の光ディスクストレージ、磁気ディスクストレージ若しくは他の磁気記憶デバイス、フラッシュ・メモリ・デバイス（例えば、ソリッドステート・メモリデバイス）、又はコンピュータ実行可能命令若しくはデータ構造の形で所望のプログラムコードを搬送若しくは記憶するために使用されてよく且つ汎用若しくは特別目的のコンピュータによってアクセスされ得るあらゆる他の記憶媒体を含んでよい。それらの組み合わせも、コンピュータ可読媒体の適用範囲内に含まれてよい。
【００８５】
コンピュータ実行可能命令は、例えば、汎用コンピュータ、特別目的のコンピュータ、又は特別目的のプロセッシング・デバイス（例えば、１つ以上のプロセッサ）に特定の機能又は機能群を実施させる命令及びデータを有する。対象は、構造的な特徴及び／又は方法論的な動作に特有の言語で記載されてきたが、添付の特許請求の範囲で定義される対象は、上記の具体的な特徴又は動作に必ずしも制限されないことが理解されるべきである。むしろ、上記の具体的な特徴及び動作は、特許請求の範囲を実施する形態の例として開示される。
【００８６】
本願で使用されるように、語「モジュール」又は「コンポーネント」は、コンピュータシステムの汎用ハードウェア（例えば、コンピュータ可読媒体、プロセッシングデバイス、など）によって記憶及び／又は実行され得るモジュール若しくはコンポーネント及び／又はソフトウェアオブジェクト若しくはソフトウェアルーチンの操作を実施するよう構成される特定のハードウェア実装を指してよい。いくつかの実施形態において、本願で記載される種々のコンポーネント、モジュール、エンジン、及びサービスは、コンピュータシステムで（例えば、別個のスレッドとして）実行するオブジェクト又はプロセスとして実装されてよい。本願で記載されるシステム及び方法のいくつかは、概して、ソフトウェア（汎用ハードウェアによって記憶及び／又は実行される。）において実装されるものとして記載されるが、特定のハードウェア実装又はソフトウェア及び特定のハードウェア実装の組み合わせも可能であり、考えられる。本明細書において、「コンピューティング・エンティティ」は、本願で先に定義されたようなあらゆるコンピュータシステム、又はコンピュータシステムで実行されるあらゆるモジュール若しくはモジュールの組み合わせであってよい。
【００８７】
本願で挙げられている全ての例及び条件付き言語は、当該技術の促進に本発明者によって寄与される概念及び本発明を読者が理解するのを助ける教育上の目的を意図され、そのような具体的に挙げられている例及び条件に制限されないと解釈されるべきである。本開示の実施形態が詳細に記載されてきたが、様々な変更、置換、及び代替が、本発明の主旨及び適用範囲から逸脱することなしに行われてよい。
【００８８】
上記の実施形態に加えて、以下の付記を開示する。
（付記１）
同期信号のための電力制御の方法であって、
無線デバイスで、デバイス・ツー・デバイス（Ｄ２Ｄ）同期信号の送信のために前記無線デバイスの電力制御モードを決定するアクセスポイントからの信号を受信し、
前記無線デバイスによって、前記電力制御モードに従ってＤ２Ｄ同期信号を送信する
ことを有し、
前記電力制御モードは、被制御電力モード又は最大電力モードを含む、方法。
（付記２）
前記受信することは、前記アクセスポイントからダウンリンク制御情報（ＤＣＩ）、サブフレーム５（ＤＣＩ５）を受信することを有し、
当該方法は、前記無線デバイスによって、前記信号に基づき、前記無線デバイスの前記電力制御モードを決定することを更に有する、
付記１に記載の方法。
（付記３）
前記決定することは、
スケジューリング・アサインメント（ＳＡ）及びデータが制御された電力により送信されるべきことを前記ＤＣＩ５が示すことに応答して、前記電力制御モードが前記被制御電力モードを有すること決定し、
前記ＳＡ及びデータが最大電力により送信されるべきことを前記ＤＣＩ５が示すことに応答して、前記電力制御モードが前記最大電力モードを有することを決定する
ことを有し、
前記送信することは、
前記電力制御モードが前記被制御電力モードを有することを決定することに応答して、制御された電力により前記Ｄ２Ｄ同期信号を送信し、
前記電力制御モードが前記最大電力モードを有することを決定することに応答して、最大電力により前記Ｄ２Ｄ同期信号を送信する
ことを有する、付記２に記載の方法。
（付記４）
前記ＤＣＩ５は、送信電力制御ビットを含み、該送信電力制御ビットは、前記送信電力制御ビットが設定されるときに、前記ＳＡ及びデータが最大電力により送信されるべきことを示し、前記送信電力制御ビットが設定されないときに、前記ＳＡ及びデータが制御された電力により送信されるべきことを示す、
付記３に記載の方法。
（付記５）
前記Ｄ２Ｄ同期信号は、前記ＳＡ及びデータが制御された電力により送信されるときに、制御された電力により送信され、
前記Ｄ２Ｄ同期信号は、前記ＳＡ及びデータが最大電力により送信されるときに、最大電力により送信される、
付記３に記載の方法。
（付記６）
前記Ｄ２Ｄ同期信号は、プライマリＤ２Ｄ同期シーケンス伝送（ＰＤ２ＤＳＳ）、セカンダリＤ２Ｄ同期シーケンス伝送（ＳＤ２ＤＳＳ）、物理Ｄ２Ｄ同期チャネル（ＰＤ２ＤＳＣＨ）、又はそれらの組み合わせを有する、
付記１に記載の方法。
（付記７）
前記受信することは、前記アクセスポイントからラジオ・リソース・コントロール（ＲＲＣ）信号を受信することを有し、
前記ＲＲＣ信号は、前記被制御電力モード又は前記最大電力モードであるとして前記電力制御モードを示す専用のビットを含み、
前記専用のビットは、前記最大電力モードを示す第１の値、又は前記被制御電力モードを示す第２の値を含み、
前記送信することは、
前記専用のビットが前記第１の値を含むことに応答して、最大電力により前記Ｄ２Ｄ同期信号を送信し、
前記専用のビットが前記第２の値を含むことに応答して、制御された電力により前記Ｄ２Ｄ同期信号を送信する
ことを有する、付記１に記載の方法。
（付記８）
前記受信することは、前記Ｄ２Ｄ同期信号の前記無線デバイスでの送信電力を制御する前記無線デバイスの（α，Ｐ０）パラメータを設定するのに有効である前記アクセスポイントからの信号を受信することを有し、
前記送信することは、
前記（α，Ｐ０）パラメータが最大電力モードのために設定されることに応答して、最大電力により前記Ｄ２Ｄ同期信号を送信し、
前記（α，Ｐ０）パラメータが被制御電力モードのために設定されることに応答して、制御された電力により前記Ｄ２Ｄ同期信号を送信する
ことを有する、付記１に記載の方法。
（付記９）
無線デバイスで、デバイス・ツー・デバイス（Ｄ２Ｄ）同期信号の送信のために前記無線デバイスの電力制御モードを決定するアクセスポイントからの信号を受信し、
前記無線デバイスによって、前記電力制御モードに従ってＤ２Ｄ同期信号を送信し、前記電力制御モードは、被制御電力モード又は最大電力モードを含む
ことを有する動作を実行し又は該動作の実行を制御するようプロセッサデバイスによって実行されるコンピュータ命令を記憶している非一時的なコンピュータ可読媒体。
（付記１０）
前記受信することは、前記アクセスポイントからダウンリンク制御情報（ＤＣＩ）、サブフレーム５（ＤＣＩ５）を受信することを有し、
前記動作は、前記無線デバイスによって、前記信号に基づき、前記無線デバイスの前記電力制御モードを決定することを更に有する、
付記９に記載の非一時的なコンピュータ可読媒体。
（付記１１）
前記決定することは、
スケジューリング・アサインメント（ＳＡ）及びデータが制御された電力により送信されるべきことを前記ＤＣＩ５が示すことに応答して、前記電力制御モードが前記被制御電力モードを有すること決定し、
前記ＳＡ及びデータが最大電力により送信されるべきことを前記ＤＣＩ５が示すことに応答して、前記電力制御モードが前記最大電力モードを有することを決定する
ことを有し、
前記送信することは、
前記電力制御モードが前記被制御電力モードを有することを決定することに応答して、制御された電力により前記Ｄ２Ｄ同期信号を送信し、
前記電力制御モードが前記最大電力モードを有することを決定することに応答して、最大電力により前記Ｄ２Ｄ同期信号を送信する
ことを有する、付記１０に記載の非一時的なコンピュータ可読媒体。
（付記１２）
前記ＤＣＩ５は、送信電力制御ビットを含み、該送信電力制御ビットは、前記送信電力制御ビットが設定されるときに、前記ＳＡ及びデータが最大電力により送信されるべきことを示し、前記送信電力制御ビットが設定されないときに、前記ＳＡ及びデータが制御された電力により送信されるべきことを示す、
付記１１に記載の非一時的なコンピュータ可読媒体。
（付記１３）
前記Ｄ２Ｄ同期信号は、前記ＳＡ及びデータが制御された電力により送信されるときに、制御された電力により送信され、
前記Ｄ２Ｄ同期信号は、前記ＳＡ及びデータが最大電力により送信されるときに、最大電力により送信される、
付記１１に記載の非一時的なコンピュータ可読媒体。
（付記１４）
前記Ｄ２Ｄ同期信号は、プライマリＤ２Ｄ同期シーケンス伝送（ＰＤ２ＤＳＳ）、セカンダリＤ２Ｄ同期シーケンス伝送（ＳＤ２ＤＳＳ）、物理Ｄ２Ｄ同期チャネル（ＰＤ２ＤＳＣＨ）、又はそれらの組み合わせを有する、
付記９に記載の非一時的なコンピュータ可読媒体。
（付記１５）
前記受信することは、前記アクセスポイントからラジオ・リソース・コントロール（ＲＲＣ）信号を受信することを有し、
前記ＲＲＣ信号は、前記被制御電力モード又は前記最大電力モードであるとして前記電力制御モードを示す専用のビットを含み、
前記専用のビットは、前記最大電力モードを示す第１の値、又は前記被制御電力モードを示す第２の値を含み、
前記送信することは、
前記専用のビットが前記第１の値を含むことに応答して、最大電力により前記Ｄ２Ｄ同期信号を送信し、
前記専用のビットが前記第２の値を含むことに応答して、制御された電力により前記Ｄ２Ｄ同期信号を送信する
ことを有する、付記９に記載の非一時的なコンピュータ可読媒体。
（付記１６）
前記受信することは、前記Ｄ２Ｄ同期信号の前記無線デバイスでの送信電力を制御する前記無線デバイスの（α，Ｐ０）パラメータを設定するのに有効である前記アクセスポイントからの信号を受信することを有し、
前記送信することは、
前記（α，Ｐ０）パラメータが最大電力モードのために設定されることに応答して、最大電力により前記Ｄ２Ｄ同期信号を送信し、
前記（α，Ｐ０）パラメータが被制御電力モードのために設定されることに応答して、制御された電力により前記Ｄ２Ｄ同期信号を送信する
ことを有する、付記９に記載の非一時的なコンピュータ可読媒体。
（付記１７）
無線デバイスであって
プロセッサと、
前記プロセッサへ通信上結合される非一時的なコンピュータ可読媒体と
を有し、
前記非一時的なコンピュータ可読媒体は、
デバイス・ツー・デバイス（Ｄ２Ｄ）同期信号の送信のために当該無線デバイスの電力制御モードを決定するアクセスポイントからの信号を受信し、
前記電力制御モードに従ってＤ２Ｄ同期信号を送信し、前記電力制御モードは、被制御電力モード又は最大電力モードを含む
ことを有する動作を実行し又は該動作の実行を制御するよう前記プロセッサによって実行されるコンピュータ命令を記憶している、無線デバイス。
（付記１８）
前記受信することは、前記アクセスポイントからダウンリンク制御情報（ＤＣＩ）、サブフレーム５（ＤＣＩ５）を受信することを有し、
前記動作は、前記無線デバイスによって、前記信号に基づき、前記無線デバイスの前記電力制御モードを決定することを更に有する、
付記１７に記載の無線デバイス。
（付記１９）
前記受信することは、前記アクセスポイントからラジオ・リソース・コントロール（ＲＲＣ）信号を受信することを有し、
前記ＲＲＣ信号は、前記被制御電力モード又は前記最大電力モードであるとして前記電力制御モードを示す専用のビットを含み、
前記専用のビットは、前記最大電力モードを示す第１の値、又は前記被制御電力モードを示す第２の値を含み、
前記送信することは、
前記専用のビットが前記第１の値を含むことに応答して、最大電力により前記Ｄ２Ｄ同期信号を送信し、
前記専用のビットが前記第２の値を含むことに応答して、制御された電力により前記Ｄ２Ｄ同期信号を送信する
ことを有する、付記１７に記載の無線デバイス。
（付記２０）
前記受信することは、前記Ｄ２Ｄ同期信号の前記無線デバイスでの送信電力を制御する前記無線デバイスの（α，Ｐ０）パラメータを設定するのに有効である前記アクセスポイントからの信号を受信することを有し、
前記送信することは、
前記（α，Ｐ０）パラメータが最大電力モードのために設定されることに応答して、最大電力により前記Ｄ２Ｄ同期信号を送信し、
前記（α，Ｐ０）パラメータが被制御電力モードのために設定されることに応答して、制御された電力により前記Ｄ２Ｄ同期信号を送信する
ことを有する、付記１７に記載の無線デバイス。
【００８９】
［関連出願の相互参照］
本特許出願は、２０１４年１１月６日付で出願された、米国特許仮出願第６２／０７６４０３号に基づく優先権を主張する。なお、基礎とされた米国出願は、その全文を参照により本願に援用される。
【図１】
2017539135.tif 000003
【図２】
2017539135.tif 000004
【図３Ａ】
2017539135.tif 000005
【図３Ｂ】
2017539135.tif 000006
【図４】
2017539135.tif 000007
【図５Ａ】
2017539135.tif 000008
【図５Ｂ】
2017539135.tif 000009
【図６】
2017539135.tif 000010
【国際調査報告】
2017539135.tif 000011